(57)【要約】【課題】どのズームポジションが最も被写体に近づいて撮影でき、さらにどこまで近づけるかを即座に知ることが可能なよう明示する。【解決手段】画面１には、アイコン４、バー６がズームバー３内に表示されている。このバー６は、マクロ撮影モード時に、全ズーム領域の中で最も被写体に近接して撮影できるズームポジションを示す。また、数値情報７をバー６に近接して表示している。この数値情報７は、そのズームポジションで、どれほどまで（何ｃｍまで）被写体に近接して撮影できるかを明示するものである。図示の例では、１ｃｍまで被写体に近接して撮影できることが分かる。【選択図】図２
2009224882.tif 000002
【特許請求の範囲】
【請求項１】
近接範囲を撮影するためのマクロ撮影モードと、
ズームポジションにより被写体までの最短合焦距離が変わる特性を有する光学ズーム手段と、
ズームポジションを検出するためのズームポジション検出手段と、
撮影情報を表示するための撮影情報表示手段と、
前記撮影情報表示手段に撮影情報を出力するための撮影情報出力手段と、
前記撮影情報を格納する情報記憶手段と、
被写体までの最短合焦距離となるズームポジションとを求める最短合焦ズームポジション検索手段と、
前記撮影情報表示手段に、前記最短合焦ズームポジション検索手段で求めた最短合焦ズームポジションと前記最短合焦ズームポジションにおける被写体までの最近接可能距離とを表示させる表示制御手段を備えることを特徴とする撮像装置。
【請求項２】
前記表示制御手段は、設定可能なズームポジションを直線上に表示し、前記設定可能なズームポジションにおいて、最短合焦距離となるズームポジションをバーで表示し、使用中のズームポジションを前記直線上にアイコンで表示させることを特徴とする請求項１記載の撮像装置。
【請求項３】
前記表示制御手段は、各ズームポジションにおける被写体までの近接可能距離を数字で表示させることを特徴とする請求項1又は２に記載の撮像装置。
【請求項４】
前記表示制御手段は、近接可能距離と設定可能なズームポジションとを軸とするグラフで表現し、使用中のズームポジションを前記グラフ上にアイコンで表示させることを特徴とする請求項１記載の撮像装置。
【請求項５】
前記表示制御手段は、前記グラフにおけるスケールを表示させることを特徴とする請求項1又は４に記載の撮像装置。
【請求項６】
近接範囲を撮影するためのマクロ撮影ステップと、
ズームポジションにより被写体までの最短合焦距離が変わる特性を有する光学ズームステップと、
ズームポジションを検出するためのズームポジション検出ステップと、
撮影情報を表示するための撮影情報表示ステップと、
前記撮影情報表示手段に撮影情報を出力するための撮影情報出力ステップと、
前記撮影情報を格納する情報記憶ステップと、
被写体までの最短合焦距離となるズームポジションとを求める最短合焦ズームポジション検索ステップと、
前記撮影情報表示ステップに、前記最短合焦ズームポジション検索ステップで求めた最短合焦ズームポジションと前記最短合焦ズームポジションにおける被写体までの最近接可能距離とを表示させる表示制御ステップを備えることを特徴とする撮像装置の表示方法。
【請求項７】
前記表示制御ステップは、設定可能なズームポジションを直線上に表示し、前記設定可能なズームポジションにおいて、最短合焦距離となるズームポジションをバーで表示し、使用中のズームポジションを前記直線上にアイコンで表示させることを特徴とする請求項６記載の撮像装置の表示方法。
【請求項８】
前記表示制御ステップは、各ズームポジションにおける被写体までの近接可能距離を表示させることを特徴とする請求項６又は７に記載の撮像装置の表示方法。
【請求項９】
前記表示制御ステップは、近接可能距離と設定可能なズームポジションとを軸とするグラフで表現し、使用中のズームポジションを前記グラフ上にアイコンで表示させることを特徴とする請求項６記載の撮像装置の表示方法。
【請求項１０】
前記表示制御ステップは、前記グラフにおけるスケールを表示させることを特徴とする請求項６又は９に記載の撮像装置の表示方法。
【請求項１１】
請求項６から１０のいずれか1項に記載の方法をコンピュータに実行させるプログラム。
【請求項１２】
請求項１１記載のプログラムを記録したコンピュータ読み取り可能な記録媒体。
【発明の詳細な説明】
【技術分野】
【０００１】
本発明は、デジタルスチルカメラ、カメラ機能付き携帯電話、ビデオカメラ等の撮像装置及びその表示方法、プログラム及びコンピュータ読取可能な記録媒体に関する。
【背景技術】
【０００２】
最近の撮像装置においては、ズーム光学系と、通常撮影モードと、通常撮影モードで撮影できる被写体距離よりも近い距離で撮影するためのマクロ撮影モードが、殆どの機種で具備している。このような撮像装置においては、殆どの場合、ズームポジション毎に被写体までの距離がどこまで近くなっても合焦できるかを示す「最短撮影距離」が異なる。通常撮影モードの場合は、ズームポジションごとに最短撮影距離が同じになるように、ある程度最短撮影距離を遠めに設定したり、僅かにズームポジション毎に最短撮影距離が違っていても、被写体までの距離に対して相対的に小さい距離であるので、このことを問題にする必要がないことが多い。
【０００３】
それに対してマクロ撮影モードでは、あるズームポジションでの最短撮影距離が１ｃｍというカメラもあるので、ズームポジションによって最短撮影距離が例えば１０ｃｍほど違ったとすると、あるズームポジションで撮像装置をセッティングした後、ズームポジションを動かして同じ被写体を撮影しようとした場合、ピントが合わなくなってしまい、折角セッティングした撮像装置の位置を変えなければいけなくなるような事態になってしまう。
【０００４】
また、例えば、１ｃｍまで被写体に近寄って撮影できることを謳い文句にした撮像装置があった場合、１ｃｍで撮影できるズームポジションが、広角端や望遠端のズーム位置であれば問題ないが、そうでない場合は、どこのズームポジションで１ｃｍの撮影ができるのかがわからない場合がある。このようなことを避けるためにマクロ撮影モードに設定すると同時に、１ｃｍで撮影できるズームポジションに光学系を自動的に移動させるという撮像装置も存在する。しかしこの場合、そのズームポジションからズームを動かすことができなくなってしまい、ユーザに使用上の制限を与えてしまうことになったり、ズームを動かすことを許可した場合には、どこが１ｃｍで撮影できるズームポジションか分からなくなってしまうので、一旦通常撮影モードに戻して、再度マクロ撮影モードに入れるような操作を、ユーザにしてもらわなければいけないことになってしまう。
【０００５】
上記のような問題に対応するため、従来では、図５に示すようにズームバーを表示するなどの方法が提案されている。図中（ａ）は通常撮影モードでの画面１の様子を示し、（ｂ）はマクロ撮影モードでの画面１の様子を示す。２は画面１に表示されている被写体、３はズームポジションを示すズームバー、４は現在のズーム位置を示すアイコンであり、図中Ｗ、Ｔは、それぞれワイド端、テレ（望遠）端を示す。アイコン４は、ズーム位置の変更に対応して上下する。５はマクロモードであることを示すチューリップマークである。
【０００６】
例えば特許文献１では、現在のズーム位置とともにマクロ撮影に不適切なズーム位置とを同時に表示することで、ユーザがマクロ撮影に適したズーム位置に合わせられるようにしている。
【０００７】
また、例えば特許文献２では、マクロモードに設定されると、マクロモードで撮影するのに適したズーム位置に移動させるため、ユーザに操作を促すように表示方法を工夫した発明が開示されている。
【特許文献１】特開２００５−２０８３９５号公報
【特許文献２】特開２００６−２５３１４号公報
【発明の開示】
【発明が解決しようとする課題】
【０００８】
しかしながら、特許文献１、２のいずれの場合も、マクロ撮影に適しているとしているズーム領域内においては、どこが最も被写体に接近して撮影できるかを、ユーザは詳細に理解することはできない。
【０００９】
そこで、本発明は、上記問題を鑑み、ユーザに、最も被写体に近づいて撮影できるズームポジションはどこかを一瞬にして理解できるようにすることを目的とするものである。
【課題を解決するための手段】
【００１０】
上記課題を解決するため、本発明による撮像装置は、近接範囲を撮影するためのマクロ撮影モードと、ズームポジションにより被写体までの最短合焦距離が変わる特性を有する光学ズーム手段と、ズームポジションを検出するためのズームポジション検出手段と、撮影情報を表示するための撮影情報表示手段と、撮影情報表示手段に撮影情報を出力するための撮影情報出力手段と、撮影情報を格納する情報記憶手段と、被写体までの最短合焦距離となるズームポジションとを求める最短合焦ズームポジション検索手段と、撮影情報表示手段に、最短合焦ズームポジション検索手段で求めた最短合焦ズームポジションと最短合焦ズームポジションにおける被写体までの最近接可能距離とを表示させる表示制御手段を備えることを特徴とする。
【００１１】
表示制御手段は、設定可能なズームポジションを直線上に表示し、前記設定可能なズームポジションにおいて、最短合焦距離となるズームポジションをバーで表示し、使用中のズームポジションを前記直線上にアイコンで表示させることを特徴とする。
【００１２】
表示制御手段は、各ズームポジションにおける被写体までの近接可能距離を表示させることを特徴とする。
【００１３】
表示制御手段は、近接可能距離と設定可能なズームポジションとを軸とするグラフで表現し、使用中のズームポジションをグラフ上にアイコンで表示させることを特徴とする。
【００１４】
表示制御手段は、グラフにおけるスケールを表示させることを特徴とする。
【００１５】
また、本発明による撮像装置の表示方法は、近接範囲を撮影するためのマクロ撮影ステップと、ズームポジションにより被写体までの最短合焦距離が変わる特性を有する光学ズームステップと、ズームポジションを検出するためのズームポジション検出ステップと、撮影情報を表示するための撮影情報表示ステップと、撮影情報表示手段に撮影情報を出力するための撮影情報出力ステップと、撮影情報を格納する情報記憶ステップと、被写体までの最短合焦距離となるズームポジションとを求める最短合焦ズームポジション検索ステップと、撮影情報表示ステップに、最短合焦ズームポジション検索ステップで求めた最短合焦ズームポジションと最短合焦ズームポジションにおける被写体までの最近接可能距離とを表示させる表示制御ステップを備えることを特徴とする。
【００１６】
表示制御ステップは、設定可能なズームポジションを直線上に表示し、設定可能なズームポジションにおいて、最短合焦距離となるズームポジションをバーで表示し、使用中のズームポジションを前記直線上にアイコンで表示させることを特徴とする。
【００１７】
表示制御ステップは、各ズームポジションにおける被写体までの近接可能距離を表示させることを特徴とする。
【００１８】
表示制御ステップは、近接可能距離と設定可能なズームポジションとを軸とするグラフで表現し、使用中のズームポジションを前記グラフ上にアイコンで表示させることを特徴とする。
【００１９】
表示制御ステップは、グラフにおけるスケールを表示させることを特徴とする。
【発明の効果】
【００２０】
本発明によれば、マクロ撮影モード時に、全ズームポジション中、最も被写体までの距離を近くすることのできる距離を、ユーザが一目で認識することができる。
【発明を実施するための最良の形態】
【００２１】
図１は前記各実施の形態の機能を備えた本発明の実施の形態による撮像装置を概略的に示すブロック図である。図１において、制御部１０は全体を制御する。撮影部１１は被写体を撮影し、その撮像信号は撮像信号処理部１２で処理される。ズームポジション検出部１３は、現在のズームポジションを検出する。撮影情報出力部１５は、ズームバー、アイコン、チューリップマーク、数値情報等の撮影情報を作成して出力し、撮影情報表示部１４に表示させる。操作部１６は、シャッタボタン等のユーザによる各種操作を受け付ける。ＲＡＭ１７は各種撮影情報等の処理データを記憶し、ＲＯＭ１８はプログラム等を記憶している。
【００２２】
図２は、本発明の実施形態によるマクロ撮影モード時の画面である。本実施形態では、直線状のバー６がズームバー３内に表示される。このバー６は、マクロ撮影モード時に、全ズーム領域の中で最も被写体に近接して撮影できるズームポジションを示すものである。すなわち、アイコン4がバー６と同じ位置にあるとき、被写体まで最も接近して撮影を行うことが可能である。
【００２３】
また、数値情報７ａがバー６に近接して表示される。この数値情報７ａは、バー6位置でのズームポジションを選択した際に、どれほど（何ｃｍまで）被写体に近接して撮影できるかを明示するものである。図示の例では、数値情報７ａは１ｃｍを示しており、バー6で表示するズームポジションを選択すれば、１ｃｍまで被写体に近接して撮影することが可能である。また、図中７ｂ、７ｃのようにテレ端、ワイド端を選択した際の撮影距離もそれぞれ表示することが可能であるし、これに限らず例えば他のズームポジションでどこまで近づけるかを表示しても良い。
【００２４】
本実施形態によれば、どこのズームポジションが被写体に最も近接して撮影できるズームポジションであるかを明示しており、ユーザが瞬時にそのズームポジションに合わせることができ、さらに同時に最近接距離を知ることが可能である。
【００２５】
図３は、本発明の別の実施形態におけるマクロ撮影モード時の画面１を示す。本実施形態による画面１においては、ズームバー３を、湾曲した曲線形状にしてある。図示の例では、ズームバー３は、右に膨らむように湾曲させている。また、ズームバー３の下部に被写体までの距離を示すスケール８が表示される。
【００２６】
本実施形態によれば、各ズームポジションにおける最近接距離を視覚的に即座に知ることが可能となる。すなわち、図３の例では、ワイド端におけるズームポジションを選択した際には、被写体まで５ｃｍまでしか近寄れないが、最も膨らんだ湾曲部におけるズームポジションを使用する際には、１ｃｍまで近づくことが可能である。また、ズームポジションがテレ端にある場合には、被写体から１０ｃｍ離れなければならないことがわかる。
【００２７】
また、本実施形態におけるズームバーの形状は、円弧に限ることは無く、例えば図４に示すように折れ線形状であっても良い。
【００２８】
本実施形態によれば、全ズームポジションにおいて、どれほど被写体に近接して撮影できるかを明示することができ、これによって、マクロ撮影において、さらにユーザにとっての利便性を向上させることができる。
【００２９】
尚、各実施形態の機能を実現するための処理をＣＰＵが実行するためのプログラムは本発明によるプログラムを構成する。また、このプログラムを記録する記録媒体は、本発明によるコンピュータ読み取り可能な記録媒体を構成する。この記録媒体としては、半導体記憶装置や光学的及び／又は磁気的な記憶装置等を用いることができる。このようなプログラム及び記録媒体を、前述した実施形態とは異なる構成の装置やシステム等で用い、そのＣＰＵで上記プログラムを実行させることにより、本発明と実質的に同じ効果を得ることができる。
【図面の簡単な説明】
【００３０】
【図１】本発明の実施形態による撮像装置を概略的に示すブロック図である。
【図２】本発明の実施形態を示す構成図である。
【図３】本発明の別の実施形態を示す構成図である。
【図４】本発明の別の実施形態を示す構成図である。
【図５】従来の表示方法を示す構成図である。
【符号の説明】
【００３１】
１    画面
２    被写体
３    ズームバー
４    アイコン
５    マクロ撮影を示すチューリップマーク
６    バー
７ａ、７ｂ、７ｃ    数値情報
８    スケール
【図１】
2009224882.tif 000003
【図２】
2009224882.tif 000004
【図３】
2009224882.tif 000005
【図４】
2009224882.tif 000006
【図５】
2009224882.tif 000007